(57)【特許請求の範囲】
【請求項１】
シート内部の構造体に固定された筒状のヘッドレスト支持用ブラケットに、ヘッドレストサポートがシート表皮に開けられた取付孔を介して挿入して取り付けられる車両用シートのヘッドレストサポート取付構造において、前記シート表皮を前記取付孔の内側へ延ばして延伸部を形成し、前記ヘッドレストサポートを前記ブラケットに取り付ける際に前記延伸部が前記ヘッドレストサポートと前記ブラケットとの間に介挿され、前記ヘッドレストサポートは、その先端側が前記ブラケットの筒状内に挿入されると共に、その頭部が前記ブラケットの先端部外側に位置し、前記延伸部は、前記ヘッドレストサポートの先端側外周壁と前記ブラケットの内周壁との間、並びに前記ヘッドレストサポートの頭部と前記ブラケットの先端部との間で、前記ブラケットの軸方向と交差する方向、並びに軸方向からそれぞれ挟持されていることを特徴とする車両用シートのヘッドレストサポート取付構造。
【請求項２】
請求項１の車両用シートのヘッドレストサポート取付構造において、前記取付孔に対応する位置の前記シート表皮に、互いに交わる２本の直線を成すように切れ目を入れることによって、４つの三角形状の前記延伸部が形成されることを特徴とする車両用シートのヘッドレストサポート取付構造。
【発明の詳細な説明】
【技術分野】
【０００１】
本発明は、シート内部の構造体に固定されたブラケットに、取付部品がシート表皮に開けられた取付孔を介して取り付けられる車両用シートのヘッドレストサポート取付構造に関する。
【背景技術】
【０００２】
車両用シートのシートバックに取り付けられるヘッドレストは、シートバックに対して高さ調節自在とされており、シートバックフレームの上部に固定された筒状のブラケットにヘッドレストサポートを挿入し、このヘッドレストサポートにヘッドレストステーが複数位置でロック可能に挿入されて成る（下記特許文献１参照）。ヘッドレストサポートは筒状のブラケットに挿入して固定されるものであるため、ヘッドレストサポートとブラケットとの間には僅かな隙間が設けられており、製造上のバラツキによっては隙間が大きくなり、車両走行中にヘッドレストサポートとブラケットとが干渉して異音が発生することがある。そこで、従来はヘッドレストサポートの外周上に緩衝材としてのフェルトテープを貼り付け、ヘッドレストサポートとブラケットとが直接接触しないようにして異音対策としている。
【先行技術文献】
【特許文献】
【０００３】
【特許文献１】特開平８−６６２６９号公報
【発明の概要】
【発明が解決しようとする課題】
【０００４】
しかし、かかる従来の異音対策では、フェルトテープが別途必要になるのみならず、これをヘッドレストサポートに貼り付ける作業が必要で生産性が悪い。
本発明は、このような問題に鑑み、ヘッドレストサポートのような車両用シートへの取付部品の周りにあるシート表皮を緩衝材とすることにより、緩衝材として別部品を用いることなく生産性も悪くせず異音対策を施すことを課題とする。
【課題を解決するための手段】
【０００５】
本発明の第１発明は、シート内部の構造体に固定された筒状のヘッドレスト支持用ブラケットに、ヘッドレストサポートがシート表皮に開けられた取付孔を介して挿入して取り付けられる車両用シートのヘッドレストサポート取付構造において、前記シート表皮を前記取付孔の内側へ延ばして延伸部を形成し、前記ヘッドレストサポートを前記ブラケットに取り付ける際に前記延伸部が前記ヘッドレストサポートと前記ブラケットとの間に介挿され、前記ヘッドレストサポートは、その先端側が前記ブラケットの筒状内に挿入されると共に、その頭部が前記ブラケットの先端部外側に位置し、前記延伸部は、前記ヘッドレストサポートの先端側外周壁と前記ブラケットの内周壁との間、並びに前記ヘッドレストサポートの頭部と前記ブラケットの先端部との間で、前記ブラケットの軸方向と交差する方向、並びに軸方向からそれぞれ挟持されていることを特徴とする車両用シートのヘッドレストサポート取付構造である。
第１発明によれば、シート表皮の延伸部がヘッドレストサポートとブラケットとの間に介挿されて緩衝材として機能するため、緩衝材として別部品を用いることなく生産性も悪くせず異音対策を施すことができる。
【０００６】
本発明の第２発明は、上記第１発明において、前記取付孔に対応する位置の前記シート表皮に、互いに交わる２本の直線を成すように切れ目を入れることによって、４つの三角形状の前記延伸部が形成されることを特徴とする車両用シートのヘッドレストサポート取付構造である。
第２発明によれば、２本の切れ目を入れるのみで取付孔と延伸部とを同時に形成することができ生産性が良い。しかも、延伸部が等間隔に４つ形成され、ヘッドレストサポートと筒状ブラケットとの間に等間隔に延伸部が介挿されるため、ヘッドレストサポート周りの全方向でブラケットと干渉しないようにでき、より確実に異音対策を施すことができる。
【図面の簡単な説明】
【０００７】
【図１】本発明の一実施形態である車両用シートのヘッドレスト部分の組立説明図である。
【図２】図１の一方のヘッドレストサポート部周辺の拡大垂直断面図である。
【図３】本発明の一実施形態におけるシート表皮の斜視図である。
【図４】図３のシート表皮の切れ目を折り曲げた状態を示す斜視図である。
【図５】図４のシート表皮のV−V線垂直断面図である。
【図６】図２の円VIで囲んだ部分の拡大図である。
【図７】図３のシート表皮の変形例を示す斜視図である。
【発明を実施するための形態】
【０００８】
本発明を実施する形態について図に従って説明する。
この実施形態は、本発明をヘッドレストサポートの取付構造に適用した場合であり、図１において、車両用シートのシートバック１の構造体であるシートバックフレーム３の上部には、ヘッドレストサポート６を受け入れるように筒形に形成されたブラケット４が溶接により左右一対設けられている。ブラケット４には樹脂製のヘッドレストサポート６が挿入され、ヘッドレストサポート６にはヘッドレスト２のステー５が挿入される。
図２は、ブラケット４にヘッドレストサポート６が挿入された状態を示し、ブラケット４やシートバックフレーム３の周りにはシートパッド１１が配置され、シートパッド１１の表面にはシート表皮１６が被せられている。シート表皮１６は、図示は省略したが、一般的なものと同様、３層構造とされており、表層側から順にファブリック等の表皮材、ウレタン製のカバーパッド、及び織物である裏基布から成る。
シートパッド１１のシート表皮１６と反対側の内面側には表面の保護を図るための裏面材１２が設けられている。また、シートパッド１１の一部にはシートパッド１１の形状保持のためにプレスフェルト１４が配置され、そのプレスフェルト１４に対してシートパッド１１を挟んで対向する位置にはバックボード１５が設けられている。これらの構成は、従来公知のものと同様であり、詳細な説明は省略する。
【０００９】
シート表皮１６のうちヘッドレストサポート６が貫通する取付孔部分には、図３に良く示されるように互いに直交する２本の直線を成す切れ目１６a、１６bが入れられている。ヘッドレストサポート６がこの切れ目１６a、１６bを貫通することにより、図４、５に良く示されるように三角形の４個の延伸部１７a、１７b、１７c、１７dがヘッドレストサポート６の挿入方向に形成され、この延伸部１７a、１７b、１７c、１７dはヘッドレストサポート６のブラケット４内への挿入に伴って、図６に良く示されるようにヘッドレストサポート６とブラケット４との間に介挿される。ブラケット４は四角筒に形成され、ヘッドレストサポート６はこのブラケット４と嵌り合うように形成されているため、四つの延伸部１７a、１７b、１７c、１７dがブラケット４の４辺内にそれぞれ均等に配置されるように切れ目１６a、１６bが入れられている。なお、ここではブラケット４が四角筒形状であるため延伸部１７a、１７b、１７c、１７dは均等形状の４片であることが好ましいが、ブラケット４の形状によっては切れ目を３つ以上として延伸部を６個以上としても良い。また、上記では切れ目を成す２つの直線が互いに直交するようにしたが、必ずしも直交しなくても良い。本発明における課題である異音が発生する場所に延伸部が効果的に配置されるように延伸部を形成すれば良い。なお、図３、図４は便宜的にシート表皮１６を部分的に切り取った形で示している。
【００１０】
以上述べたとおり、一実施形態では、シート表皮１６に入れられた切れ目１６a、１６bによって形成された延伸部１７a、１７b、１７c、１７dがヘッドレストサポート６とブラケット４との間に挿入されるためヘッドレストサポート６とブラケット４との間に隙間があっても、その隙間がシート表皮１６の延伸部１７a、１７b、１７c、１７dによって充填され、車両走行時の振動が当該部に伝わってもヘッドレストサポート６とブラケット４とが直接触れ合うことはなく、ヘッドレストサポート６とブラケット４との間に介挿されたシート表皮１６の延伸部１７a、１７b、１７c、１７dが緩衝材となり、異音の発生は抑制される。上述のようにシート表皮１６は３層構造とされており、その中には弾力性を備えたファブリック等の表皮材やカバーパッドが含まれているため、振動抑制効果は高い。
図７はシート表皮１６に入れられる切れ目の変形例であり、この場合は図示のとおりヘッドレストサポート６の貫通部に略ジグザグ状の切れ目１６cを入れた場合である。この切れ目１６cにヘッドレストサポート６を挿入すると、互いに対向する位置に一つづつの四角形の延伸部１８a、１８bができ、それらがヘッドレストサポート６とブラケット４との間に介挿される。
【００１１】
以上一実施形態について説明したが、本発明は、その発明思想の範囲内で各種形態で実施可能である。
【符号の説明】
【００１２】
１    車両用シートのシートバック
２    ヘッドレスト
４    ブラケット
６    ヘッドレストサポート
１６  シート表皮
１６a、１６b、１６c  切れ目
１７a、１７b、１７c、１７d、１８a、１８b  延伸部
【図１】
0005556321.tif 000002
【図２】
0005556321.tif 000003
【図３】
0005556321.tif 000004
【図４】
0005556321.tif 000005
【図５】
0005556321.tif 000006
【図６】
0005556321.tif 000007
【図７】
0005556321.tif 000008